(57)【要約】 【課題】        直腸を患った人は、その腹部に設けられたストーマを介して便を体外に排出するため排便用小袋（パウチ）を取り付けているが、このパウチが検査等から透明なもので構成されているため使用時の見た目も悪く、本人及び第三者に不快感や気分的・心理的な負担を与えていた。【解決手段】        本発明は、この透明なパウチ全体を外側から包み込んで保護するパウチカバーを提供するもので、このパウチカバーによりパウチが直接肌に触れることを少なくして感触的に改善するとともに見た目の悪さも解消して、本人及び第三者に与える不快感や気分的・心理的な負担をなくしたものである。【選択図】  図３
2010057660.tif 000002
【特許請求の範囲】
【請求項１】
直腸を患った患者が、その腹部に設けられた人工的排出口を介して大便を体外に排出するために装着する排便用小袋の保護カバーで、撥水性の高い布地から形成されその形状は、およそ方形あるいは楕円形であり、一面には排便用小袋と画板との間の環状くびれ部(溝)に入り込む穴を設け、上辺と左右のいずれかの一辺は縫い閉じするとともにされ、残った左右の他辺は留め具で開閉自在とされており、かつ下辺は常に開放されていて折りたたんだ排便用小袋の下部を排便のため外側に引き出し易くした構成したパウチカバー。
【請求項２】
保護カバーの少なくとも表側一面は暖色系の花柄、縞柄などの模様が施されていて排便用小袋が外部から見えない状態に収めることができる請求項1記載のパウチカバー。
【発明の詳細な説明】
【技術分野】
【０００１】
本発明は直腸を患った患者が、腹部に設けられた人工的排出口(以下ストーマという)を介して便を外部に排出するために装着する排便用小袋(以下パウチという)全体を外側から包み込んで、臭いや見た目の心理的な負担を軽減するための保護カバーを提供するものである。
【背景技術】
【０００２】
直腸を患った患者が、腹部に設けられたストーマに消化管用ストーマ装着具を介して便を外部に排出するために装着するパウチは、便の状態観察を要するため透明なポリ塩化ビニール等で出来ている。このため、パウチが直接肌に触れて感触がよくなく、さらに使用時の見た目も悪く、本人及び第三者に不快感や気分的・心理的に負担を与えていた。
【０００３】
このため、特開平１０−１９２３１７号公報では尿路用パウチをカバーで覆うことが提案されているが、この例ではパウチ装着後におけるパウチへのカバーの脱着に手間がかかり、尿路用ストーマ用では使用可能であっても、排便のための消化管用ストーマとしては不向きであった。
【０００４】
また、一部には着色したパウチ、例えば肌色に着色したものもあるが、着色されたがため透視が効かなく患者自身でその腹部に設けられたストーマへ装着しにくく、診察する医者側からしても使用者の健康状態や便の状態等をチェックしにくいという問題があった。このことから現在のところ、前記の透明なパウチが多く用いられている。
【特許文献１】特開平１０−１９２３１７号公報
【発明の開示】
【発明が解決しようとする課題】
【０００５】
本発明は、上記の問題を解決することを目的としたものであって、直腸を患った患者が、その腹部に設けられたストーマに消化管用ストーマ装着具を介して便を外部に排出するために装着する透明なパウチ全体を、外側から包み込んで保護するカバーを提供するものである。
【課題を解決するための手段】
【０００６】
本発明のパウチカバーは、直腸を患った患者が、腹部に設けられたストーマに、消化管用ストーマ装着具を介して便を外部に排出するために装着するパウチ全体を、外側から包み込んで保護するカバーである。ストーマ装着具は、パウチを肌に装着し皮膚を排泄物の刺激から守る直径およそ１１０ｍｍ位のドーナツ型で吸盤状の画板（皮膚保護剤）からなっていて、利便性を考えてパウチと画板が一体となっているものが多く使用されている。その画板に開けるストーマの穴は最大７０ｍｍのカット可能サイズがあって（図１）、残りの画板は浮いた状態になっているので自身のストーマの大きさに合わせて自由にカットした後、装着具の片面についている剥離フィルムを剥がして腹のしわを伸ばす様にして画板をストーマに装着し、体に貼り付ける。
【０００７】
これによりパウチはストーマと接続され体の一部に装着できる。このパウチを覆うパウチカバーは、パウチと画板との間の環状くびれ部に対応した穴を一面にもち、かつ左右のいずれか一辺を開閉可能にしたもので、パウチへの脱着もたやすく、パウチの排出口より開閉可能なカバーの一面をめくり上げるだけで、パウチ内の便の状態を目視でき、排便を簡便かつ衛生的に処理できる。
【０００８】
このカバーは布製のため肌触りが良く、パウチ内の便の感触を緩和できる。さらに吸水性に富んだ布で作成すれば取り外しの際の液漏れも防止できる。カバーの下部は開放状態にしてパウチの排出口とし、左右の側面の一方はマジックテープ（（株）クラレの登録商標）、ファスナー、釦などで開閉自由にし、排出口も容易にカバーの外部に出る様にして、排便も楽に出来る様に構成しておく。
【発明の効果】
【０００９】
本発明のパウチカバーには、直腸癌患者及び膀胱癌患者用の種々のパウチがあり、その形も異なるが、いずれにも応用できる。またカバーの下部は開放しているためパウチの排出口が簡単に外に取り出せて、カバーをつけたままパウチ内に溜まった便を排出でき、カバーの側面のマジックテープ等をはずすだけで便の状態も目視でき、容易に排出口を開いて排便し清潔にした上で元の様に閉じてカバーを下げるだけで再使用できる。このカバーは、布製で厚みも重量もとらず、暖色系の縞柄、花柄、あるいは肌着と同色の布等を使用すれば、気分もすがすがしく心理的負担も軽減される。さらにカバーの生地は、脱臭効果の効く布を使用することにより臭いを押さえ、吸水性に富んだ布を使用することで肌触りもよく、汗によりパウチそのものが直接肌につくこともなく、洗濯に耐え衛生的である。
【００１０】
本カバーは、開口部が大きいので、開口部のどの部分からでもパウチを挿入しやすく、パウチを身体に装着した後でもカバーをスムーズにつけることができる。
【００１１】
本カバーは、医師側からしても、側面のマジックテープ等をはずすだけで、患者の健康状態、便の状態を一目瞭然に確認することができる。
【００１２】
本カバーは、マジックテープ、ファスナー、釦等で開閉自由にしてあるため排出時の手入れも簡単で、安心して社会復帰に臨める。
【００１３】
パウチに溜まった便を下部排出口からトイレに流し、二日をめどに交換し、汚れが酷い時は排出口を上に向けて、水又は湯をスポイドやコップで注ぎ、排出口からトイレに流すことも簡単にできる。
【発明を実施するための最良の形態】
【００１４】
以下、本発明のパウチカバーの実施例を詳述する。
【００１５】
図１はパウチ１を示し、これには色々な種類・大きさがあるが、一般的によく使用されている大きさは、基本として大人の手のひら大であり、およそA４紙を横半分に折った大きさである。２はパウチと一体になった円盤状の画板であり、その片面には身体に貼り付けるための耐久性のある皮膚保護剤から成る粘着剤が施されている。３はカット可能サイズに沿って開けられた画板の穴、４はパウチの下部排出口である。
【００１６】
図２に示す５は本発明の特徴とするパウチカバーで、その形状はおよそ方形あるいは楕円形をしている。またその大きさはパウチ内に便やガスが溜まって膨らんだとしても、パウチを圧迫しないように多少大きめに作られている。
【００１７】
６はカバーの体表面側の片面に設けられた穴であり、その穴径は画板直径よりは小さく、図３に示すように画板２とパウチ１との間に形成された環状くびれ部(溝)１０に入り込む大きさに形成されている。
【００１８】
パウチカバー５の上辺と左右いずれかの一辺は縫い閉じされ、残った左右の他辺はマジックテープ（登録商標）、釦、ファスナーなどで開閉自在に構成され、下辺は常に開放されている。
【００１９】
このパウチカバーの表布（身体表面側片面）と裏布（反対側他面）とは、同型・同寸法であり、既存のパウチの大きさに多少の緩みを加え、カバー下部（裾部分）はパウチの長さよりも３０ｍｍ位長く取っておく。表布は、画板の穴部と対応する部分に、前記の穴６が開けられている。
【００２０】
パウチカバーの生地である布は、脱臭効果の効く布を使用することで臭いを押さえることができ、吸水性の良い布を使用すると、着用時の汗を吸収しやすくなる。カバー表布にあけた開口穴のあて布として、直径１３０ｍｍの円形布を用意し、あて布の周りをロック縫いで始末する。
【００２１】
あて布の中心と、表布の穴６の中心を中表に合わせて両者を円形に縫い合わせ、穴縁の縫い代約５ｍｍを残して穴内側の当て布を裁ち切り、裏返して縫い代を整えて縁縫いし、あて布の穴の周り１０ｍｍのところに、ほつれ止めの捨てミシンをかける。
【００２２】
表布裏布を中表に合わせ、左右いずれか片方の側面を出来上がりより上に１５０ｍｍ残し、この側面と上辺の周囲を縫いロックで始末する。常時開いた下辺は、三つ折りにして縫いつける。縫い残した側面はロックミシン又は、三つ折りで始末し、中心にマジックテープ（登録商標）又はファスナー、釦等をつけて開閉できるように仕上げる。
【００２３】
本パウチカバーは、左右いずれか一方の側面と下辺が開き、その開口部が大きいので、開口部のどの部分からでもパウチを挿入しやすく、パウチを身体に装着した後でもカバーをスムーズにつけることができる。
【００２４】
また、治療・観察をおこなう医師側からしても、側面の止め具をはずすだけで、患者の健康状態、便の状態を一目瞭然に確認することができる。
【００２５】
さらに本カバーの左右いずれかの一側面は、マジックテープ（登録商標）、ファスナー、釦等で開閉自由にしてあるため排出時の手入れも簡単で、安心して社会復帰に臨める。
【００２６】
また、パウチに溜まった便を下部排出口からトイレに流し、二日をめどに交換し、汚れが酷い時は排出口を上に向けて、水又は湯をスポイドやコップで注ぎ、排出口からトイレに流すことも簡単にできる。
【産業上の利用可能性】
【００２７】
本発明のパウチカバーは左右いずれかの側面が開く横開きであるため、前記した従来のカバーよりもパウチへの脱着性に優れ、使用者の肌への当たりの柔らかで実用的であるとともに。常時開いたカバーの下部開口寸法次第で、消化管用にも尿路用にも利用可能である。
【図面の簡単な説明】
【００２８】
【図１】本発明で用いるパウチを示す図
【図２】本発明のパウチカバーを示す図
【図３】身体に取り付けたパウチをパウチカバーで覆った図
【符号の説明】
【００２９】
１  パウチ
２  画板
３  画板の穴(カット可能サイズ)
４  パウチの下部排出口
５  本パウチカバー
６  本パウチカバーの体表面側に設けられた穴
７  ストーマ
８  画板
９  パウチ
１０  画板とパウチの間の環状くびれ(溝)
１１  パウチカバー
【図１】
2010057660.tif 000003
【図２】
2010057660.tif 000004
【図３】
2010057660.tif 000005